(57)【要約】【課題】フォルダグルア部が小型の段ボールシートを正確に折り曲げることを可能にするシート分離装置を提供する。【解決手段】段ボールシート製函機１は、搬送方向ＦＤに搬送されながら複数種類の加工が順次施される１枚の段ボールシートを、搬送方向と直交する方向に複数枚の小型の段ボールシートに切断するダイカッタ５と、小型の段ボールシートを搬送しながら折り曲げて糊付けするフォルダグルア６と、小型の段ボールシートを積層して所定シート枚数のバッチを形成するカウンタエジェクタ８とを備える。シート分離装置７は、フォルダグルアとカウンタエジェクタとの間に配置される搬送部と、搬送部の搬送速度がフォルダグルアの搬送速度より速くなるように、搬送部の搬送速度を調整するシート分離制御装置１５６とを備える。搬送部は、一対の搬送ロール７０Ａ、７０Ｂと、搬送コンベア７１とを含む。【選択図】図１
2014113712.tif 000002
【特許請求の範囲】
【請求項１】
所定搬送方向に搬送されながら複数種類の加工が順次施される１枚の段ボールシートを、所定搬送方向と直交する方向に複数枚の小型の段ボールシートに切断する切断手段と、切断された小型の段ボールシートを搬送しながら折り曲げて糊付けするフォルダグルア部と、糊付けされた小型の段ボールシートを積層して所定シート枚数のバッチを形成するカウンタ部とを備える段ボールシート製函機において、
フォルダグルア部とカウンタ部との間に配置され、小型の段ボールシートを搬送する搬送部と、
搬送部の搬送速度がフォルダグルア部の搬送速度より速くなるように、フォルダグルア部および搬送部の少なくとも一方の搬送速度を調整する速度調整部と、を備えるシート分離装置。
【請求項２】
速度調整部は、搬送部の搬送速度を調整する請求項１に記載のシート分離装置。
【請求項３】
搬送部は、
フォルダグルア部が小型の段ボールシートを搬出する搬出側に配置される一対の搬送ロールと、
一対の搬送ロールから搬出される小型の段ボールシートをカウンタ部まで搬送する搬送コンベアと、
一対の搬送ロールおよび搬送コンベアをそれぞれ駆動する駆動部と、を含む請求項１または請求項２に記載のシート分離装置。
【請求項４】
所定搬送方向に搬送されながら複数種類の加工が順次施される１枚の段ボールシートを、所定搬送方向と直交する方向に複数枚の小型の段ボールシートに切断する切断手段と、
切断された小型の段ボールシートを搬送しながら、折り曲げて糊付けするフォルダグルア部と、
糊付けされた小型の段ボールシートを積層して所定シート枚数のバッチを形成するカウンタ部と、
フォルダグルア部とカウンタ部との間に配置され、小型の段ボールシートを搬送する搬送部と、
搬送部の搬送速度がフォルダグルア部の搬送速度より速くなるように、フォルダグルア部および搬送部の少なくとも一方の搬送速度を調整する速度調整部と、を備える段ボールシート製函機。
【請求項５】
カウンタ部は、
積層された小型の段ボールシートを所定シート枚数のバッチに分割するために昇降可能に配置されるレッジと、
レッジを昇降させる昇降駆動部と、
速度調整部による搬送速度の調整に応じて、レッジが降下を開始するタイミングを調整するために昇降駆動部を制御する昇降制御部と、を含む請求項４に記載の段ボールシート製函機。
【発明の詳細な説明】
【技術分野】
【０００１】
本発明は、印刷、および溝切りなどの加工を段ボールシートに順番に施す段ボールシート製函機のシート分離装置に関する。詳細には、ダイカッタ部などの切断手段により１枚の段ボールシートが複数枚の小型の段ボールシートに切断された後に、複数枚の小型の段ボールシートの間に間隔を空けてカウンタ部に搬送するシート分離装置に関する。
【背景技術】
【０００２】
一般に、段ボールシート製函機は、給紙方向のシート長さが種々異なる段ボールシートに加工を施すことが要求される。シート長さが極めて短い小型の段ボールシートに加工を施す場合には、印刷、および溝切りなどの加工が１枚の段ボールシートに順番に施され、ダイカッタ部により通常の打ち抜き加工とともにシート切断処理が施され、１枚の段ボールシートが複数枚の小型の段ボールシートに切断される。このように複数枚の小型の段ボールシートに切断する段ボールシート製函機は、特許文献１などにより知られている。
【０００３】
特許文献１に記載の段ボールシート製函機において、シート分離・運搬装置が、ダイカッタ部とフォルダグルア部との間に配置される。シート分離・運搬装置は、多数の上下送りロールから構成され、ダイカッタ部により切断された２枚の小型の段ボールシートの間に間隔を空けるために、下流側の上下送りロールを上流側の上下送りロールより速い速度で回転させる。間隔が空けられ分離した２枚の小型の段ボールシートは、フォルダグルア部において、折り曲げベルトにより搬送されながら、折り曲げられるとともに、糊付けされる。
【先行技術文献】
【特許文献】
【０００４】
【特許文献１】特公平８−１８３８４号公報
【発明の概要】
【発明が解決しようとする課題】
【０００５】
特許文献１に記載のシート分離・運搬装置において、ダイカッタ部により切断された先行の小型の段ボールシートは、下流側の上下送りロールにより加速されることにより、後続の小型の段ボールシートから引き離され、両段ボールシートの間に所定の間隔が形成される。小型の段ボールシートが加速されるときに、その小型の段ボールシートの搬送姿勢が、搬送方向に対して斜めの姿勢に変化することがある。
【０００６】
小型の段ボールシートが斜めの姿勢に変化した場合、その斜めの姿勢のまま、小型の段ボールシートはフォルダグルア部に搬送される。このため、フォルタグルア部は、小型の段ボールシートを正確に折り曲げることができず、不良の段ボールシートが生産される問題が発生する。
【０００７】
そこで、本発明は、上記の問題に鑑みてなされたものであり、フォルダグルア部が小型の段ボールシートを正確に折り曲げることを可能にするシート分離装置を提供することを目的とする。
【課題を解決するための手段】
【０００８】
（第１の発明態様およびその具体的態様）
上記目的を達成するために、請求項１に記載の第１の発明態様は、所定搬送方向に搬送されながら複数種類の加工が順次施される１枚の段ボールシートを、所定搬送方向と直交する方向に複数枚の小型の段ボールシートに切断する切断手段と、切断された小型の段ボールシートを搬送しながら折り曲げて糊付けするフォルダグルア部と、糊付けされた小型の段ボールシートを積層して所定シート枚数のバッチを形成するカウンタ部とを備える段ボールシート製函機において、フォルダグルア部とカウンタ部との間に配置され、小型の段ボールシートを搬送する搬送部と、搬送部の搬送速度がフォルダグルア部の搬送速度より速くなるように、フォルダグルア部および搬送部の少なくとも一方を制御する制御部と、を備えるシート分離装置である。
【０００９】
第１の発明態様では、切断手段は、１枚の段ボールシートを複数枚の小型の段ボールシートに切断する構成であれば、いかなる構成でもよい。たとえば、切断手段は、段ボールシートを打ち抜くとともに、複数枚に切断する構成を有するダイカッタ部でも、複数枚に切断する専用の構成を有する切断手段でもよい。
【００１０】
第１の発明態様では、切断手段が１枚の段ボールシートを小型の段ボールシートに切断する枚数は、２枚でも、３枚以上でもよい。
【００１１】
通常、１枚の段ボールシートを複数枚に切断しない通常オーダを実行する場合、フォルダグルア部および搬送部は、同じ搬送速度になるように調整される。１枚の段ボールシートを複数枚に切断する小型オーダを実行する場合、第１の発明態様では、速度調整部は、搬送部の搬送速度がフォルダグルア部の搬送速度より速くなるのであれば、いかなる調整方法を使用してもよい。たとえば、速度調整部は、搬送部の搬送速度を通常オーダに比べ所定割合だけ速くする調整方法でも、フォルダグルア部の搬送速度を通常オーダに比べ所定割合だけ遅くする調整方法でも、または、両調整方法を組み合わせた調整方法でもよい。
【００１２】
第１の発明態様では、速度調整部は、搬送速度を調整する構成であれば、機械的な構成でも、電気的な構成でもよい。たとえば、速度調整部は、回転伝達比の異なる２種類の歯車列を手動または自動で切り換える構成でも、搬送駆動モータの速度を調整する構成でもよい。
【００１３】
第１の発明態様では、搬送部の搬送速度がフォルダグルア部の搬送速度より速くなる速度増加分は、先行の小型の段ボールシートがカウンタ部の内部に落下する際に後続の小型の段ボールシートが先行の小型の段ボールシートと衝突しないように、両小型の段ボールシートの間に所定間隔を形成することができる速度増加分である。
【００１４】
請求項２に記載の具体的態様では、速度調整部が、搬送部の搬送速度を調整する。
【００１５】
本具体的態様では、速度調整部は、搬送部の搬送速度を通常オーダに比べ所定割合だけ速くする調整方法により、搬送部の搬送速度を調整する。
【００１６】
請求項３に記載の具体的態様では、搬送部が、フォルダグルア部が小型の段ボールシートを搬出する搬出側に配置される一対の搬送ロールと、一対の搬送ロールから搬出される小型の段ボールシートをカウンタ部まで搬送する搬送コンベアと、一対の搬送ロールおよび搬送コンベアをそれぞれ駆動する駆動部と、を含む。
【００１７】
本具体的態様では、駆動部は、一対の搬送ロールおよび搬送コンベアを共通して駆動する１つの駆動手段でも、一対の搬送ロールおよび搬送コンベアを個別に駆動する複数の駆動手段でもよい。
【００１８】
（第２の発明態様）
上記目的を達成するために、請求項４に記載の第２の発明態様は、所定搬送方向に搬送されながら複数種類の加工が順次施される１枚の段ボールシートを、所定搬送方向と直交する方向に複数枚の小型の段ボールシートに切断する切断手段と、切断された小型の段ボールシートを搬送しながら、折り曲げて糊付けするフォルダグルア部と、糊付けされた小型の段ボールシートを積層して所定シート枚数のバッチを形成するカウンタ部と、フォルダグルア部とカウンタ部との間に配置され、小型の段ボールシートを搬送する搬送部と、搬送部の搬送速度がフォルダグルア部の搬送速度より速くなるように、フォルダグルア部および搬送部の少なくとも一方の搬送速度を調整する速度調整部と、を備える段ボールシート製函機である。
【００１９】
第２の発明態様でも、第１の発明態様と同様に、発明の各構成要素は、種々の態様で具体化することができる。
【００２０】
請求項５に記載の具体的態様では、カウンタ部が、積層された小型の段ボールシートを所定シート枚数のバッチに分割するために昇降可能に配置されるレッジと、レッジを昇降させる昇降駆動部と、速度調整部による搬送速度の調整に応じて、レッジが降下を開始するタイミングを調整するために昇降駆動部を制御する昇降制御部と、を含む。
【００２１】
一般に、レッジが降下を開始するタイミングは、カウンタ部に供給される段ボールシートの搬送速度に応じて決定される。本具体的態様では、昇降制御部は、搬送部およびフォルダグルア部のいずれかの位置における小型の段ボールシートの搬送速度を基に、レッジの下降開始タイミングを調整する。フォルダグルア部における小型の段ボールシートの搬送速度を基に、レッジの下降開始タイミングを調整する場合には、昇降制御部は、フォルダグルア部における小型の段ボールシートの搬送速度を基に、搬送部における小型の段ボールシートの搬送速度を推測する構成を有してもよい。
【発明の効果】
【００２２】
（第１および第２の発明態様の効果）
各発明態様では、搬送部が、フォルダグルア部とカウンタ部との間に配置され、小型の段ボールシートを搬送する。速度調整部は、搬送部の搬送速度がフォルダグルア部の搬送速度より速くなるように、フォルダグルア部および搬送部の少なくとも一方の搬送速度を調整する。この搬送速度の調整により、切断された複数枚の小型の段ボールシートは、フォルダグルア部により折り曲げられて糊付けされた後に、所定間隔を空けて分離される。この結果、切断された小型の段ボールシートを、斜めの姿勢に変化させることなくフォルダグルア部に搬送することができ、小型の段ボールシートを正確に折り曲げることができる。また、小型の段ボールシートが、所定間隔を空けて分離されるときに、斜めの姿勢に変化したとしても、カウンタ部が、所定シート枚数のバッチを形成するときに、斜めの姿勢に変化した小型の段ボールシートの端部を揃えることから、段ボールシートの生産に問題は一切生じない。
【００２３】
（具体的態様の効果）
請求項２に記載の具体的態様では、速度調整部が、搬送部の搬送速度を調整することにより、搬送部の搬送速度がフォルダグルア部の搬送速度より速くなるように調整する。この結果、フォルダグルア部、および、その上流側に配置される切断手段などの加工部の動作速度を遅くする必要がないので、段ボールシートの生産速度を高速に維持することができる。
【００２４】
請求項３に記載の具体的態様では、一対の搬送ロールおよび搬送コンベアが、駆動部によりそれぞれ駆動され、フォルダグルア部から搬出される小型の段ボールシートをカウンタ部まで搬送する。この結果、一対の搬送ロールは、フォルダグルア部から搬出される小型の段ボールシートを挟持することにより、所定搬送速度で正確に搬送することができ、先行の小型の段ボールシートと後続の小型の段ボールシートとの間に所定間隔を正確に形成することができる。
【００２５】
請求項５に記載の具体的態様では、昇降制御部が、速度調整部による搬送速度の調整に応じて、レッジが降下を開始するタイミングを調整するために昇降駆動部を制御する。この結果、カウンタ部は、搬送速度が速度調整部により調整された小型の段ボールシートでも、所定のシート枚数に確実に分割することができる。
【図面の簡単な説明】
【００２６】
【図１】本発明の一実施形態に係る段ボールシート製函機１の全体的構成を示す正面図である。
【図２】段ボールシート製函機１のシート分離装置７の詳細な構成を示す拡大正面図である。
【図３】段ボールシート製函機１のカウンタエジェクタ８の詳細な構成を示す拡大正面図である。
【図４】段ボールシート製函機１の電気的構成を示すブロック図である。
【図５】ダイカッタ５から搬出される通常の段ボールシートＬＳＨを示す説明図である。
【図６】ダイカッタ５から搬出される小型の段ボールシートＳＳＨ１、ＳＳＨ２を示す説明図である。
【発明を実施するための形態】
【００２７】
[実施形態]
段ボールシートに印刷、溝切り、および打ち抜きなどの加工を行う段ボールシート製函機に本発明を適用した一実施形態について、添付図面を参照して以下に説明する。なお、図面において矢印で示す方向に従って、上下方向、左右方向および前後方向が定められる。
【００２８】
《全体的構成》
図１は、本実施形態の段ボールシート製函機１の全体的構成を示す正面図である。図１において、段ボールシート製函機１は、段ボールシートＳＨを１枚ずつ供給するシート給紙装置２と、段ボールシートＳＨに印刷を施す印刷装置３と、段ボールシートＳＨに罫線を入れ、溝を切り、継ぎ代を形成するスロッタクリーザ４と、段ボールシートＳＨに所定形状の打ち抜き部分を形成するダイカッタ５と、を備える。さらに、段ボールシート製函機１は、継ぎ代に接着剤を供給し、段ボールシートＳＨを罫線に沿って折り曲げ、箱状に接合するフォルダグルア６と、シート分離装置７と、箱状に接合された段ボールシートＳＨを計数し、所定シート枚数のバッチを形成して送り出すカウンタエジェクタ８と、バッチを束ねる結束機９と、を備える。
【００２９】
シート給紙装置２は、テーブル２０を備え、コルゲートマシンにより製造された多数の段ボールシートＳＨがテーブル２０上に積載される。シート給紙装置２は、クランクレバー機構２１により往復運動するキッカー２２を備える。キッカー２２が、多数の段ボールシートＳＨのうち最も下側にある段ボールシートＳＨを蹴り出すことで、段ボールシートＳＨを１枚ずつ印刷装置３に供給する。クランクレバー機構２１は、主駆動モータＭＴに連結されて駆動される。
【００３０】
印刷装置３は、複数の印刷ユニット３０、３１を備える。各印刷ユニットは、印刷シリンダと、印版部材と、インキ塗布装置と、プレスロールとから主に構成される。インキ塗布装置は、印刷ユニットごとに異なる色のインキングロールを備える。印刷装置３は、両印刷ユニット３０、３１により、段ボールシートＳＨに２色の印刷を施して、この印刷された段ボールシートＳＨをスロッタクリーザ４に供給する。印刷ユニット３０、３１は、主駆動モータＭＴにそれぞれ連結されて駆動される。
【００３１】
スロッタクリーザ４は、クリーザユニット４０と、スロッタユニット４１とを備える。クリーザユニット４０は、罫線加工を施すために、上下に配置される一対の罫線ロールを備える。スロッタユニット４１は、溝切り加工を施すために、スロッタ刃が取り付けられる上部スロッタと、スロッタ刃と嵌合可能な溝が形成される下部スロッタとを備える。スロッタクリーザ４は、クリーザユニット４０およびスロッタユニット４１により、段ボールシートＳＨに罫線および溝切り加工を施し、継ぎ代を形成し、これらの加工が施された段ボールシートＳＨをダイカッタ５に供給する。クリーザユニット４０およびスロッタユニット４１は、主駆動モータＭＴにそれぞれ連結されて駆動される。
【００３２】
ダイカッタ５は、搬送経路を挟んでダイシリンダ５０と、アンビルシリンダ５１とを備える。段ボールシートＳＨを打ち抜くための打ち抜きダイ５２が合板ベニヤなどの板状体に取り付けられ、この板状体が、ダイシリンダ５０の外周面に巻装される。アンビルシリンダ５１は、搬送経路を挟んでダイシリンダ５０と対向する位置に配設され、公知の動力伝達機構を介して主駆動モータＭＴに連結され、その主駆動モータＭＴの回転により回転する。打ち抜きダイ５２は、連続して搬送される段ボールシートＳＨの所望の位置に打ち抜き加工を施す。打ち抜きダイ５２は、オーダ変更の際に、オーダに応じた打ち抜きパターンの打ち抜きダイと交換可能である。ダイシリンダ５０およびアンビルシリンダ５１は、主駆動モータＭＴにそれぞれ連結されて駆動される。
【００３３】
フォルダグルア６は、段ボールシートＳＨを搬送しながら、継ぎ代に接着剤を塗布し、罫線等に沿って折り曲げて接着する。フォルダグルア６は、段ボールシートＳＨの搬送方向に沿ってガイドレール６０を備える。環状の搬送ベルト６１が、ガイドレール６０の上方に、循環移動可能に設けられる。接着剤供給装置６２、折り畳みバー６３、および折り畳みベルト６４が、ガイドレール６０および搬送ベルト６１に沿って配設される。
【００３４】
フォルダグルア６は、罫線および継ぎ代が形成された段ボールシートＳＨを、ガイドレール６０および搬送ベルト６１により支持して搬送する。段ボールシートＳＨの搬送中に、フォルダグルア６は、接着剤供給装置６２により継ぎ代に接着剤を塗布し、折り畳みバー６３により段ボールシートＳＨを折り畳む。さらに、フォルダグルア６は、折り曲げられた段ボールシートＳＨを、折り畳みベルト６４により折り畳み、継ぎ代を接着することで、折り畳まれた状態の箱状の段ボールシートＳＨを製作する。搬送ベルト６１は、搬送駆動モータＭＦ１に連結されて駆動され、折り畳みベルト６４は、折り畳み駆動モータＭＦ２に連結されて駆動される。
【００３５】
シート分離装置７は、１枚の段ボールシートを複数枚の小型の段ボールシートに切断する小型オーダが実行される場合に、シート分離動作を行う。シート分離装置７は、１枚の段ボールシートを複数枚の小型の段ボールシートに切断しない通常オーダが実行される場合には、フォルダグルア６とカウンタエジェクタ８との間で段ボールシートを搬送する搬送手段として動作する。シート分離装置７の詳細な構成は後述する。
【００３６】
カウンタエジェクタ８は、シート分離装置７から順次供給される箱状の段ボールシートＳＨを計数し、所定シート枚数のバッチＢＴを形成し、下部コンベア８０によりバッチＢＴを結束機９に向けて送出する。カウンタエジェクタ８の詳細な構成は後述する。
【００３７】
結束機９は、下部コンベア８０により搬送されたバッチＢＴを、輸送のために束ねる。結束機９の構成は、よく知られている。
【００３８】
（シート分離装置７の詳細な構成）
シート分離装置７の詳細な構成について、図２を参照して説明する。図２は、シート分離装置７の構成を拡大して示す正面図である。シート分離装置７は、一対の搬送ロール７０Ａ、７０Ｂと、搬送コンベア７１と、上部搬送ロール７２とを主に備える。
【００３９】
一対の搬送ロール７０Ａ、７０Ｂは、フォルダグルア６の搬出口に近接して配置され、搬送ベルト６１および折り畳みベルト６４から搬出される段ボールシートＳＨを挟持して搬送する。搬送コンベア７１は、搬送方向ＦＤにおいて両搬送ロール７０Ａ、７０Ｂの下流側に配置され、両搬送ロール７０Ａ、７０Ｂから段ボールシートＳＨを受け取って搬送する。上部搬送ロール７２は、搬送コンベア７１の搬出側において、搬送コンベア７１に対向して上方に配置される。上部搬送ロール７２は、搬送コンベア７１との間で段ボールシートＳＨを挟持し、段ボールシートＳＨをカウンタエジェクタ８に向かって搬出する。水平支持板７３が、搬送コンベア７１の上部ベルト部分を下方から水平に支持するために、その上部ベルト部分の下面に近接して配置される。傾斜支持板７４が、搬送コンベア７１の搬入側から搬送ロール７０Ｂに向かって傾斜して延びる。傾斜支持板７４は、両搬送ロール７０Ａ、７０Ｂから搬出される段ボールシートの先端が搬送コンベア７１の下方に潜り込まないように、その先端を案内する働きを有する。本実施形態では、搬送方向ＦＤにおける搬送コンベア７１の長さは、段ボールシート製函機１が生産可能な小型の段ボールシートの搬送方向ＦＤの最大長さより長く設定される。小型の段ボールシートは、図６に小型の段ボールシートＳＳＨ１、ＳＳＨ２として示される。
【００４０】
一対の搬送ロール７０Ａ、７０Ｂは、ロール駆動モータＭＳ１に連結されて駆動される。搬送コンベア７１および上部搬送ロール７２は、コンベア駆動モータＭＳ２にそれぞれ連結されて駆動される。
【００４１】
〈カウンタエジェクタ８の詳細な構成〉
カウンタエジェクタ８の詳細な構成について、図３を参照して説明する。カウンタエジェクタ８は、前当板８１と、矯正板８２と、主レッジ８３と、一対の補助レッジ８４Ａ、８４Ｂと、エレベータ８５と、下部コンベア８０とを主に備える。カウンタエジェクタ８の構成は、特開２０１１−２３０４３２号公報などにより記載され、公知であるので、シート分離装置７と構造上および動作上で関係する部分について、詳細に説明する。
【００４２】
前当板８１は、シート分離装置７により所定の搬送方向ＦＤに搬送されて供給される段ボールシートＳＨの先端部に当接するように、公知の位置調整機構により左右方向に変位可能に配置される。前当板８１は、矯正板８２との間隔が段ボールシートＳＨの搬送方向ＦＤの寸法に応じた間隔となるように位置決めされる。
【００４３】
矯正板８２は、一定の位置関係でシート分離装置７に近接して位置し、供給される段ボールシートＳＨの後端部に当接するように配置される。供給された段ボールシートＳＨは、前当板８１および矯正板８２などにより画定される収容空間内に積載される。
【００４４】
主レッジ８３は、Ｌ字形状を有し、水平延出部分８３Ａと、垂直起立部分８３Ｂとを備える。レッジ支持体８６が、左右方向に移動可能にガイドレール８７により支持される。レッジ支持体８６は、公知の位置調整機構により左右方向に変位可能に配置される。レッジ昇降モータＭＣ１が、レッジ支持体８６上に固定される。ピニオン８８が、レッジ昇降モータＭＣ１の出力軸に固定される。ラック８９が、主レッジ８３の垂直起立部分８３Ｂに固定される。ラック８９は、ピニオン８８と噛み合う。主レッジ８３の垂直起立部分８３Ｂは、レッジ支持体８７に設けられた支持機構により上下動可能に支持される。主レッジ８３は、レッジ昇降モータＭＣ１の回転方向および回転量に応じて、上下方向に位置決めされる。
【００４５】
補助レッジ８４Ａは、前当板８１に対して左右方向に進退可能に配置される。補助レッジ８４Ｂは、矯正板８２に対して左右方向に進退可能に配置される。両補助レッジ８４Ａ、８４Ｂは、互いに接近する方向に移動して段ボールシートＳＨの下面を支持し、互いに離れる方向に移動して段ボールシートＳＨをエレベータ８５に引き渡す。両補助レッジ８４Ａ、８４Ｂは、図示しないレッジ駆動モータに公知の連結機構を介して連結される。
【００４６】
エレベータ８５は、その上部にテーブル８５Ａを備え、その下部に支持棒８５Ｂを備える。エレベータ支持体９０が、左右方向に移動可能にガイドレール９１により支持される。エレベータ支持体９０は、公知の位置調整機構により左右方向に変位可能に配置される。エレベータ昇降モータＭＣ２が、エレベータ支持体９０上に固定される。ピニオン９２が、エレベータ昇降モータＭＣ２の出力軸に固定される。ラック９３が、エレベータ８５の支持棒８５Ｂに固定される。ラック９３は、ピニオン９２と噛み合う。エレベータ８５の支持棒８５Ｂは、エレベータ支持体９０に設けられた支持機構により上下動可能に支持される。エレベータ８５は、エレベータ昇降モータＭＣ２の回転方向および回転量に応じて、上下方向に位置決めされる。
【００４７】
下部コンベア８０は、公知の連結機構を介して図示しないベルト駆動モータに連結される。上部コンベア９４が、下部コンベア８０と所定の間隔を置いて配置される。上部コンベア９４と下部コンベア８０との間隔が、バッチＢＴの上下方向の厚さとほぼ等しくなるように、上部コンベア９４が、図示しないサーボモータにより上下方向に移動されて下部コンベア８０に対して位置決めされる。上部コンベア９４は、公知の連結機構を介して図示しないベルト駆動モータに連結される。下部コンベア８０は、上部コンベア９４と協働して、結束機９に向かってバッチＢＴを送り出す。
【００４８】
〈検出器の構成〉
シート分離装置７は、搬送コンベア７１の搬送速度を検出するためにパルスジェネレータＰＧを備える。パルスジェネレータＰＧは、コンベア駆動モータＭＳ２に連結され、コンベア駆動モータＭＳ２の回転速度に応じた周波数のパルス信号を発生する。
【００４９】
カウンタエジェクタ８は、シート分離装置７において搬送される段ボールシートＳＨの枚数を計数するために光センサＳＮを備える。この光センサＳＮは、図２に示すように、搬送コンベア７１の搬入側に近接して配置され、段ボールシートＳＨの通過を検出する。
【００５０】
《電気的構成》
本実施形態の段ボールシート製函機１の基本的な電気的構成について、図４を参照して以下に説明する。図４は、段ボールシート製函機１の基本的なの電気的構成を示すブロック図である。
【００５１】
図４において、段ボールシート製函機１において段ボールシートの加工を全般的に管理するために、上位管理装置１００および下位管理装置１１０が設けられる。本実施形態では、上位管理装置１００は、予め決められた順序で多数のオーダを実行するための管理計画を記憶する。上位管理装置１００は、オーダ毎に、主駆動モータＭＴの回転速度、段ボールシートの寸法、および加工数量などに関する制御指令情報を、下位管理装置１１０に送る。
【００５２】
下位管理装置１１０は、上位管理装置１００から送られる制御指令情報に従って、主駆動モータＭＴなどの駆動部の動作を制御するとともに、段ボールシートの加工数量を計数して上位管理装置１００に送るなどの管理制御を行う装置である。下位管理装置１１０は、プログラムメモリ１２０と、作業メモリ１３０とに接続され、これらのメモリとともに、本実施形態の段ボールシート製函機１を制御するコンピュータを構成する。プログラムメモリ１２０は、段ボールシート製函機１の全体を制御する制御プログラム、および、増速割合並びに速度補正値を含む所定の設定値などを固定記憶するメモリである。作業メモリ１３０は、制御プログラムを実行する際に、上位管理装置１００から送られる種々の情報および演算処理結果を一時記憶するメモリである。
【００５３】
下位管理装置１１０は、操作パネル１４０に接続される。操作パネル１４０は、給紙ボタン１４１と、オーダ終了ボタン１４２とを有する。給紙ボタン１４１は、シート給紙装置２による段ボールシートＳＨの給紙を開始させるために操作される。オーダ終了ボタン１４２は、現在実行されているオーダを終了するために操作される。
【００５４】
下位管理装置１１０は、駆動制御装置１５０、第１および第２印刷制御装置１５１、１５２、スロッタクリーザ制御装置１５３、ダイカッタ制御装置１５４、フォルダグルア制御装置１５５、シート分離制御装置１５６、カウンタエジェクタ制御装置１５７、および結束制御装置１５８にそれぞれ接続される。駆動制御装置１５０は、下位管理装置１１０からの制御指令情報に従って、主駆動モータＭＴの駆動および停止と、その回転速度とを制御する。第１および第２印刷制御装置１５１、１５２は、下位管理装置１１０からの制御指令情報に従って、印刷ユニット３０、３１の動作を制御する。スロッタクリーザ制御装置１５３は、下位管理装置１１０からの制御指令情報に従って、クリーザユニット４０およびスロッタユニット４１の動作を制御する。ダイカッタ制御装置１６６は、下位管理装置１１０からの制御指令情報に従って、ダイカッタ５の動作を制御する。
【００５５】
フォルダグルア制御装置１５５は、下位管理装置１１０からの制御指令情報に従って、搬送駆動モータＭＦ１、折り畳み駆動モータＭＦ２、およびフォルダグルア６に使用される他の駆動モータの駆動および停止と、その回転速度とを制御する。シート分離制御装置１５６は、下位管理装置１１０からの制御指令情報に従って、ロール駆動モータＭＳ１、およびコンベア駆動モータＭＳ２の駆動および停止と、その回転速度とを制御する。また、シート分離制御装置１５６は、パルスジェネレータＰＧからパルス信号を受け取り、そのパルス信号の周波数を基に、搬送コンベア７１の搬送速度に関する速度検出情報を下位管理装置１１０に供給する。カウンタエジェクタ制御装置１５７は、段ボールシートＳＨの通過を検出する光センサＳＮから検出信号を受け取り、下位管理装置１１０からの制御指令情報と、光センサＳＮからの検出信号とに従って、レッジ昇降モータＭＣ１、エレベータ昇降モータＭＣ２、およびカウンタエジェクタ８に使用される他の駆動モータの駆動および停止と、その回転速度とを制御する。結束制御装置１５８は、下位管理装置１１０からの制御指令情報に従って、結束機９の動作を制御する。
【００５６】
《実施形態の動作および作用》
本実施形態の段ボールシート製函機１の動作および作用について、図面を参照して以下に説明する。本実施形態の段ボールシート製函機１は、通常オーダと、小型オーダとを選択的に実行することができる。通常オーダでは、シート給紙装置２から供給される１枚の段ボールシートＳＨが、ダイカッタ５により２枚の小型の段ボールシートに切断されることなく、図５に示す通常の段ボールシートＬＳＨとしてダイカッタ５から搬出される。小型オーダでは、シート給紙装置２から供給される１枚の段ボールシートＳＨが、ダイカッタ５により切断され、図６に示す２枚の小型の段ボールシートＳＳＨ１、ＳＳＨ２としてダイカッタ５から搬出される。
【００５７】
〈通常オーダの実行〉
通常オーダの実行について、図５を参照して説明する。現在のオーダを終了するために、作業者がオーダ終了ボタン１４２を操作すると、段ボールシート製函機１の運転が停止される。この運転の停止の間に、制御装置１５０〜１５８は、新たなオーダに関する制御指令情報を下位管理装置１１０から受け取る。新たなオーダの段ボールシートの生産および加工を行うために、段ボールシートの寸法に応じて、シート給紙装置２と、印刷装置３から結束機９までの各加工装置との設定が変更されるとともに、印版部材および打ち抜きダイ５２などの加工部材が交換される。
【００５８】
作業者は、加工部材の交換作業を終了した後に、シート給紙装置２に段ボールシートＳＨを積載する。この状態で、作業者が新たなオーダの実行を開始するために操作パネル１４０の給紙ボタン１４１を操作すると、その給紙ボタン１４１の操作に従って、下位管理装置１１０は、駆動制御装置１５０に主駆動モータＭＴの駆動を指令するとともに、新たなオーダに関する段ボールシートの搬送速度を指令する。この結果、主駆動モータＭＴが、指令された搬送速度に応じた回転速度で駆動され、シート給紙装置２は給紙動作を開始する。同時に、印刷装置３、スロッタクリーザ４、およびダイカッタ５が主駆動モータＭＴの駆動により作動する。
【００５９】
また、給紙ボタン１４１の操作に従って、下位管理装置１１０は、フォルダグルア制御装置１５５に搬送駆動モータＭＦ１および折り畳み駆動モータＭＦ２の駆動および段ボールシートの搬送速度を指令する。この結果、搬送駆動モータＭＦ１および折り畳み駆動モータＭＦ２が、指令された搬送速度に応じた回転速度で駆動され、フォルダグルア６の搬送ベルト６１および折り畳みベルト６４がそれぞれ循環移動する。
【００６０】
さらに、給紙ボタン１４１の操作に従って、下位管理装置１１０は、シート分離制御装置１５６にロール駆動モータＭＳ１およびコンベア駆動モータＭＳ２の駆動および段ボールシートの搬送速度を指令する。下位管理装置１１０は、上位管理装置１００から指令されるオーダのうちで、通常オーダが指令されたと判断したときには、シート分離制御装置１５６に、フォルダグルア制御装置１５５などの他の制御装置に指令した搬送速度と同じ搬送速度を指令する。この結果、ロール駆動モータＭＳ１およびコンベア駆動モータＭＳ２が、指令された搬送速度に応じた回転速度で駆動され、シート分離装置７の一対の搬送ロール７０Ａ、７０Ｂが回転し、搬送コンベア７１が循環移動し、上部搬送ロール７２が回転する。シート分離制御装置１５６は、コンベア駆動モータＭＳ２が駆動されている間、パルスジェネレータＰＧからパルス信号を受け取り、搬送コンベア７１の搬送速度に関する速度検出情報を下位管理装置１１０に供給する。
【００６１】
シート給紙装置２が１枚の段ボールシートＳＨを供給する給紙周期に同期して、印刷装置３、およびスロッタクリーザ４が作動し、図５に示す通常の段ボールシートＬＳＨに、印刷パターンＰＡ１、ＰＡ２を印刷し、縦罫線ＫＡ１〜ＫＡ４を施し、前端溝ＬＳＡ１〜ＬＳＡ３および後端溝ＴＳＡ１〜ＴＳＡ３を形成し、継ぎ代ＣＰを形成するために前端切り欠きＬＮＡおよび後端切り欠きＴＮＡを形成する。また、給紙周期に同期して、ダイカッタ５が作動し、図５に示す通常の段ボールシートＬＳＨに、打ち抜き穴ＤＡ１、ＤＡ２を形成する。
【００６２】
図５に示す通常の段ボールシートＬＳＨは、ダイカッタ５からフォルダグルア６に供給される。フォルタグルア６は、継ぎ代ＣＰに糊を塗布し、通常の段ボールシートＬＳＨを折り曲げて糊付けすることで、箱状に接合された状態の通常の段ボールシートＬＳＨを製作する。
【００６３】
下位管理装置１１０は、フォルダグルア制御装置１５５と同じ搬送速度をシート分離制御装置１５６に指令していることから、両搬送ロール７０Ａ、７０Ｂ、搬送コンベア７１、および上部搬送ロール７２は、フォルダグルア６と同じ搬送速度で、箱状に接合された状態の通常の段ボールシートＬＳＨを搬送し、カウンタエジェクタ８に供給する。
【００６４】
カウンタエジェクタ制御装置１５７は、段ボールシートＳＨの通過を検出する光センサＳＮからの検出信号に従って、シート分離装置７から供給される通常の段ボールシートＬＳＨの枚数を計数する。その計数された枚数が所定シート枚数に達するまで、主レッジ８３が、シート分離装置７から供給される段ボールシートＬＳＨと干渉しない上方の位置で待機するように、カウンタエジェクタ制御装置１５７は、レッジ昇降モータＭＣ１の駆動を制御する。
【００６５】
カウンタエジェクタ制御装置１５７は、通常の段ボールシートＬＳＨの枚数を計数している間に、搬送コンベア７１の搬送速度に関する速度検出情報を下位管理装置１１０から受け取る。計数された枚数が所定シート枚数に達したときに、カウンタエジェクタ制御装置１５７は、速度検出情報に基いて、レッジ駆動モータＭＣ１の駆動開始タイミングを制御し、この制御により主レッジ８３が待機位置から下降を開始するタイミングが決定される。具体的には、通常オーダが実行される場合、搬送ベルト６１の搬送速度と同じ搬送コンベア７１の搬送速度が速くなった場合には、計数された枚数が所定シート枚数に達した時点から主レッジ８３が下降を開始するまでの時間が短くなり、搬送コンベア７１の搬送速度が遅くなった場合には、計数された枚数が所定シート枚数に達した時点から主レッジ８３が下降を開始するまでの時間が長くなるように、主レッジ８３の下降開始タイミングが決定される。
【００６６】
積層される段ボールシートからバッチＢＴを形成するためのカウンタエジェクタ８の動作は、特開２０１１−２３０４３２号公報などに記載され、よく知られているので、その説明を省略する。カウンタエジェクタ８により形成されたバッチＢＴは、結束機９まで搬送され、結束機９により結束される。
【００６７】
〈小型オーダの実行〉
小型オーダの実行について、図６を参照して説明する。通常オーダを終了するために、作業者がオーダ終了ボタン１４２を操作すると、段ボールシート製函機１の運転が停止される。この運転の停止の間に、制御装置１５０〜１５８は、次のオーダである小型オーダに関する制御指令情報を下位管理装置１１０から受け取る。小型オーダの段ボールシートの寸法に応じて、シート給紙装置２と、印刷装置３から結束機９までの各加工装置との設定が変更されるとともに、印版部材および打ち抜きダイ５２などの加工部材が交換される。小型オーダを実行するために、打ち抜きダイ５２として、通常の打ち抜き加工と、段ボールシートの切断加工とを行う特殊なダイが使用される。
【００６８】
作業者は、加工部材の交換作業を終了した後に、シート給紙装置２に段ボールシートＳＨを積載する。この状態で、作業者が新たなオーダの実行を開始するために操作パネル１４０の給紙ボタン１４１を操作すると、その給紙ボタン１４１の操作に従って、下位管理装置１１０は、駆動制御装置１５０に主駆動モータＭＴの駆動を指令するとともに、小型オーダに関する段ボールシートの搬送速度を指令する。この結果、主駆動モータＭＴが、指令された搬送速度に応じた回転速度で駆動され、シート給紙装置２は給紙動作を開始する。同時に、印刷装置３、スロッタクリーザ４、およびダイカッタ５が主駆動モータＭＴの駆動により作動する。
【００６９】
また、給紙ボタン１４１の操作に従って、下位管理装置１１０は、フォルダグルア制御装置１５５に搬送駆動モータＭＦ１および折り畳み駆動モータＭＦ２の駆動および段ボールシートの搬送速度を指令する。この結果、搬送駆動モータＭＦ１および折り畳み駆動モータＭＦ２が、指令された搬送速度に応じた回転速度で駆動され、フォルダグルア６の搬送ベルト６１および折り畳みベルト６４がそれぞれ循環移動する。
【００７０】
さらに、給紙ボタン１４１の操作に従って、下位管理装置１１０は、シート分離制御装置１５６にロール駆動モータＭＳ１およびコンベア駆動モータＭＳ２の駆動および段ボールシートの搬送速度を指令する。下位管理装置１１０は、上位管理装置１００から指令されるオーダのうちで、小型オーダが指令されたと判断したときには、シート分離制御装置１５６に、フォルダグルア制御装置１５５などの他の制御装置に指令した搬送速度より速い搬送速度を指令する。この結果、ロール駆動モータＭＳ１およびコンベア駆動モータＭＳ２が、指令された速い搬送速度に応じた回転速度で駆動され、シート分離装置７の一対の搬送ロール７０Ａ、７０Ｂが回転し、搬送コンベア７１が循環移動し、上部搬送ロール７２が回転する。下位管理装置１１０が、フォルダグルア制御装置１５５などの他の制御装置に指令した搬送速度と、プログラムメモリ１２０に記憶される増速割合とに基いて、搬送コンベア７１の搬送速度を算出して、その算出された搬送速度をシート分離制御装置１５６に指令する。本実施形態では、シート分離制御装置１５６に指令される搬送速度は、フォルダグルア制御装置１５５に指令される搬送速度の１．３倍の速度に設定される。１．３倍の増速割合は、プログラムメモリ１２０に記憶されている。シート分離制御装置１５６は、コンベア駆動モータＭＳ２が駆動されている間、パルスジェネレータＰＧからパルス信号を受け取り、搬送コンベア７１の搬送速度に関する速度検出情報を下位管理装置１１０に供給する。
【００７１】
シート給紙装置２の給紙周期に同期して、印刷装置３、およびスロッタクリーザ４が作動し、図６に示す段ボールシートＳＨに、印刷パターンＰＢ１〜ＰＢ４を印刷し、縦罫線ＫＢ１〜ＫＢ４を形成する。
【００７２】
また、給紙周期に同期して、ダイカッタ５が作動し、図６に示す段ボールシートＳＨに、打ち抜き穴ＤＢ１〜ＤＢ４を形成する。この打ち抜き穴の形成と同時に、ダイカッタ５は、打ち抜き加工により、前端溝ＬＳＢ１〜ＬＳＢ３、後端溝ＴＳＢ１〜ＴＳＢ３、中央溝ＣＳＢ１〜ＣＳＢ３、継ぎ代ＣＰ１、ＣＰ２を形成するための中央切り欠きＣＮＢ、前端切り欠きＬＮＢおよび後端切り欠きＴＮＢをそれぞれ形成する。さらに、打ち抜き穴の形成と同時に、ダイカッタ５は、打ち抜き加工により、切断線ＣＬに沿って、１枚の段ボールシートＳＨを２枚の小型の段ボールシートＳＳＨ１、ＳＳＨ２に切断する。２枚の小型の段ボールシートＳＳＨ１、ＳＳＨ２は、同じ形状を有する。すなわち、１枚の段ボールシートＳＨを２等分に切断することにより、中央溝ＣＳＢ１〜ＣＳＢ３は、後端溝ＴＳＢ１〜ＴＳＢ３と同じ形状の後端溝と、前端溝ＬＳＢ１〜ＬＳＢ３と同じ形状の前端溝とに分割され、中央切り欠きＣＮＢは、後端切り欠きＴＮＢと同じ形状の後端切り欠きと、前端切り欠きＬＮＢと同じ形状の前端切り欠きとに分割される。
【００７３】
図６に示す小型の段ボールシートＳＳＨ１、ＳＳＨ２は、間隔を有しない連続した状態で、ダイカッタ５からフォルダグルア６に順次供給される。フォルタグルア６は、継ぎ代ＣＰ１、ＣＰ２に糊を塗布し、小型の段ボールシートＳＳＨ１、ＳＳＨ２をそれぞれ折り曲げて糊付けすることで、箱状に接合された状態の２つの小型の段ボールシートＳＳＨ１、ＳＳＨ２を製作する。
【００７４】
下位管理装置１１０は、フォルダグルア制御装置１５５に指令した搬送速度より速い搬送速度をシート分離制御装置１５６に指令していることから、両搬送ロール７０Ａ、７０Ｂ、搬送コンベア７１、および上部搬送ロール７２は、フォルダグルア６より速い搬送速度となるように、駆動される。箱状に接合された状態の小型の段ボールシートＳＳＨ１の一部が、フォルダグルア６から送り出され、両搬送ロール７０Ａ、７０Ｂにより挟持されると、その小型の段ボールシートＳＳＨ１は急速に加速される。小型の段ボールシートＳＳＨ１が加速されている間、搬送ベルト６１と折り畳みベルト６４との間に位置する小型の段ボールシートＳＳＨ１の残りの部分は、両ベルト上を滑った状態で搬送される。小型の段ボールシートＳＳＨ１の加速により、小型の段ボールシートＳＳＨ１と後続の小型の段ボールシートＳＳＨ２との間に間隔が生じ、両段ボールシートが分離される。
【００７５】
小型の段ボールシートＳＳＨ１は、搬送コンベア７１により搬送されながら増速され、その後に搬送コンベア７１と上部搬送ロール７２との間に挟持されると、下位管理装置１１０から指令された搬送速度に近い搬送速度に達する。小型の段ボールシートＳＳＨ１は、搬送コンベア７１と上部搬送ロール７２とにより挟持された状態で搬送されてカウンタエジェクタ８に供給される。
【００７６】
また、後続の小型の段ボールシートＳＳＨ２も、小型の段ボールシートＳＳＨ１と同様に、両搬送ロール７０Ａ、７０Ｂにより挟持されると、急速に加速され、その後に、搬送コンベア７１により搬送されながら増速される。小型の段ボールシートＳＳＨ２は、搬送コンベア７１と上部搬送ロール７２との間に挟持されると、下位管理装置１１０から指令された搬送速度に近い搬送速度に達する。小型の段ボールシートＳＳＨ１の後端が、搬送コンベア７１と上部搬送ロール７２との間を通過した時点では、両段ボールシートＳＳＨ１、ＳＳＨ２の間に所定間隔が空けられる。この所定間隔は、先行の小型の段ボールシートＳＳＨ１がカウンタエジェクタ８の前当板８１および矯正板８２により形成される収容空間内に落下する際に後続の小型の段ボールシートＳＳＨ２が先行の小型の段ボールシートＳＳＨ１と衝突しないように、両小型の段ボールシートの間に形成される間隔である。
【００７７】
カウンタエジェクタ制御装置１５７は、光センサＳＮからの検出信号に従って、シート分離装置７において搬送される小型の段ボールシートの枚数を計数する。その計数された枚数が所定シート枚数に達するまで、主レッジ８３が、待機位置に位置するように、カウンタエジェクタ制御装置１５７は、レッジ昇降モータＭＣ１の駆動を制御する。
【００７８】
カウンタエジェクタ制御装置１５７は、小型の段ボールシートの枚数を計数している間に、搬送コンベア７１の搬送速度に関する速度検出情報を下位管理装置１１０から受け取る。計数された枚数が所定シート枚数に達したときに、カウンタエジェクタ制御装置１５７は、速度検出情報と、プログラムメモリ１２０に記憶された速度補正値とに基いて、レッジ駆動モータＭＣ１の駆動開始タイミングを制御し、この制御により主レッジ８３が待機位置から下降を開始するタイミングが決定される。具体的には、小型オーダが実行される場合、搬送コンベア７１の搬送速度は、搬送ベルト６１の搬送速度より速い速度に設定されることから、計数された枚数が所定シート枚数に達した時点から主レッジ８３が下降を開始するまでの時間が短くなるように、主レッジ８３の下降開始タイミングが決定される。シート分離装置７において搬送される小型の段ボールシートの実際の搬送速度は、搬送ベルト６１の低い搬送速度の影響を受けて、搬送コンベア７１の搬送速度より低い速度になることがある。小型の段ボールシートの実際の搬送速度が搬送コンベア７１の搬送速度より低くなる傾向は、小型の段ボールシートの搬送方向の長さが長くなるほど、顕著に現れる。本実施形態では、プログラムメモリ１２０が、速度補正値を小型オーダに対応して予め記憶している。速度補正値は、搬送コンベア７１の搬送速度を表す速度検出情報を、小型の段ボールシートの実際の搬送速度に相当する速度に補正するための情報である。
【００７９】
カウンタエジェクタ８は、公知の方法により、積層される小型の段ボールシートからバッチＢＴを形成し、結束機９は、カウンタエジェクタ８から搬送されるバッチＢＴを結束する。
【００８０】
《実施形態の効果》
本実施形態では、シート分離装置７は、フォルダグルア６とカウンタエジェクタ８との間に配置される。ダイカッタ５により切断された小型の段ボールシートＳＳＨ１、ＳＳＨ２が搬送ロール７０Ａ、７０Ｂおよび搬送コンベア７１により加速されて斜めの姿勢になっても、小型の段ボールシートＳＳＨ１、ＳＳＨ２は既に折り曲げられて糊付けされていることから、斜めの姿勢へ変化することがフォルダグルア６での折り曲げの精度に悪影響を及ぼすことは全くない。また、シート分離装置７において、小型の段ボールシートＳＳＨ１、ＳＳＨ２が加速に伴い斜めの姿勢に変化したとしても、その斜めの姿勢になった小型の段ボールシートＳＳＨ１、ＳＳＨ２は、カウンタエジェクタ８の前当板８１および矯正板８２により揃えられることから、小型の段ボールシートの生産にとって問題となることはない。
【００８１】
一般的に、小型の段ボールシートが、分離のための加速に伴い斜めの姿勢に変化する原因として、段ボールシートの形状および紙質などの種々の要因が考えられる。たとえば、図６に示すように、小型の段ボールシートの形状について、搬送方向のシート長が、搬送方向と直交する方向のシート幅に比べて大幅に短くなることから、小型の段ボールシートが搬送手段と接触して搬送力を受ける面積も小さくなり、搬送中における小型の段ボールシートの搬送姿勢は、通常の段ボールシートの搬送姿勢に比べて不安定となる。搬送姿勢が不安定な小型の段ボールシートが分離のために加速されるときに、搬送方向と直交する方向において異なる接触位置で小型の段ボールシートが搬送手段から受ける搬送力は、大きく変動する。この結果、異なる接触位置での搬送力の変動により、小型の段ボールシートは斜めの姿勢に変化し易くなる。また、図６に示すように、小型の段ボールシートの形状について、搬送方向と直交する方向における小型の段ボールシートの中央位置を通り、搬送方向に平行な基準線ＲＬに関して、小型の段ボールシートは非対称な形状である。小型の段ボールシートが搬送手段により搬送されている間、搬送方向と直交する方向において、小型の段ボールシートの重量バランスが不均一となり、しかも、搬送中の空気抵抗も不均一となる。この結果、重量バランスおよび空気抵抗などの不均一により、小型の段ボールシートは斜めの姿勢に変化し易くなる。このように、斜めの姿勢に変化し易い小型の段ボールシートＳＳＨ１、ＳＳＨ２が、フォルダグルア６の下流側に配置されたシート分離装置７により分離されることから、この分離処理がフォルダグルア６での小型の段ボールシートＳＳＨ１、ＳＳＨ２の折り曲げ精度に悪影響を及ぼすことを一切なくすことができる。
【００８２】
本実施形態では、シート分離制御装置１５６は、シート分離装置７における小型の段ボールシートＳＳＨ１、ＳＳＨ２の搬送速度がフォルダグルア６における小型の段ボールシートＳＳＨ１、ＳＳＨ２の搬送速度より速くなるように、ロール駆動モータＭＳ１およびコンベア駆動モータＭＳ２の回転速度を一定割合だけ増速する。シート分離装置７の増速により、搬送方向ＦＤにおいてフォルダグルア６およびフォルダグルア６より上流側に配置されるダイカッタ５などの加工装置における段ボールシートの搬送速度を遅くする必要がないことから、段ボールシートの生産速度を高速に維持することができる。
【００８３】
本実施形態では、カウンタエジェクタ制御装置１５７は、シート分離装置７における小型の段ボールシートＳＳＨ１、ＳＳＨ２の搬送速度が速くなることに応じて、主レッジ８３が下降を開始するタイミングが早くなるように、レッジ昇降モータＭＣ１の駆動開始タイミングを制御する。この駆動開始タイミングの制御により、カウンタエジェクタ８は、搬送速度が増速された小型の段ボールシートＳＳＨ１、ＳＳＨ２でも、所定のシート枚数に確実に分割することができる。
【００８４】
本実施形態では、パルスジェネレータＰＧからのパルス信号により搬送コンベア７１の搬送速度が検出される。カウンタエジェクタ８は、その検出された搬送速度を表す速度検出情報と、速度補正値とに基いて、レッジ駆動モータＭＣ１の駆動開始タイミングを制御し、この制御により主レッジ８３が待機位置から下降を開始するタイミングを決定する。この結果、搬送コンベア７１により搬送される小型の段ボールシートの実際の搬送速度と、搬送コンベア７１の検出された搬送速度との間に速度差が存在していても、カウンタエジェクタ８は、その検出された搬送速度を速度補正値により補正し、小型の段ボールシートの実際の搬送速度に相当する補正された搬送速度を基に、主レッジ８３が待機位置から下降を開始するタイミングを決定するので、シート分離装置７から供給される小型の段ボールシートと衝突することなく主レッジ８３の下降を開始させることができる。
【００８５】
本実施形態では、一対の搬送ロール７０Ａ、７０Ｂが、フォルダグルア６の搬出口の近傍に配置される。両搬送ロールの配置により、フォルダグルア６から搬出された直後の段ボールシートにニップ圧が作用する。このニップ圧により、折り曲げられた罫線部分ＫＢ１〜ＫＢ４、および継ぎ代ＣＰ１、ＣＰ２の糊付け部分は早い段階で確実に押圧され、この結果、段ボールシートの接合状態を早期に安定させることができる。
【００８６】
[本発明と実施形態との構成の対応関係]
段ボールシート製函機１、フォルダグルア６、およびカウンタエジェクタ８が、本発明の段ボールシート製函機、フォルダグルア部、およびカウンタ部の一例である。ダイカッタ５、およびシート分離装置７が、本発明の切断手段、およびシート分離装置の一例である。一対の搬送ロール７０Ａ、７０Ｂ、および搬送コンベア７１は、本発明の一対の搬送ロールおよび搬送コンベアの一例である。ロール駆動モータＭＳ１、およびコンベア駆動モータＭＳ２は、本発明の駆動部の一例である。主レッジ８３、およびレッジ昇降モータＭＣ１は、本発明のレッジ、および昇降駆動部の一例である。下位管理装置１１０およびシート分離制御装置１５６は、本発明の速度調整部の一例である。下位管理装置１１０およびカウンタエジェクタ制御装置１５７は、本発明の昇降制御部の一例である。段ボールシートＳＨ、および小型の段ボールシートＳＳＨは、本発明の１枚の段ボールシート、および小型の段ボールシートの一例である。
【００８７】
[変形例]
本発明の実施形態について以上説明したが、本発明の趣旨を逸脱しない範囲において当業者であれば種々の変形を加えることができる。
【００８８】
（１）本実施形態では、小型オーダの実行において、ダイカッタ５が、１枚の段ボールシートＳＨの両端部および中央部分に、打ち抜きにより溝切り加工を行うとともに、その段ボールシートＳＨを２枚の小型の段ボールシートＳＳＨ１、ＳＳＨ２に切断する構成であるが、この構成に限定されない。たとえば、スロッタユニットが、１枚の段ボールシートの両端部に溝切り加工を行うとともに、その段ボールシートの中央部分にも溝切り加工を行い、専用の切断手段が１枚の段ボールシートを２枚の小型の段ボールシートに切断する構成でもよい。この変形例では、小型の段ボールシートを生産するためにダイカッタの打ち抜きダイを交換する作業が不要となるため、小型オーダを実行する際に準備時間を大幅に短縮することができる。なお、段ボールシートの中央部分に溝切り加工を行う構成のスロッタユニットは、特開２００２−６７１９０号公報などにより公知である。
【００８９】
（２）本実施形態では、シート分離装置７の搬送部は、一対の搬送ロール７０Ａ、７０Ｂと、搬送コンベア７１と、上部搬送ロール７２とを含む構成であるが、この構成に限定されない。シート分離装置の搬送部として、種々の構成が考えられるが、たとえば、シート分離装置は、特許文献１などに開示される多数の対の搬送ロールから構成されてもよい。また、シート分離装置は、上下に配置される１対の搬送コンベアから構成されても、１つの搬送コンベアと、そのコンベアの下方に配置されシートを吸引するサクション機構とから構成されてもよい。さらに、一対の搬送ロールが、搬送コンベアの搬出側に配置され、上部搬送ロールが、搬送コンベアの搬入側の上方に配置される構成でもよい。
【００９０】
（３）本実施形態では、搬送方向ＦＤにおける搬送コンベア７１の長さが、段ボールシート製函機１が生産可能な小型の段ボールシートの搬送方向ＦＤの最大長さより長く設定される構成であるが、この構成に限定されない。小型の段ボールシートの搬送速度を加速させることにより、後続の小型の段ボールシートとの間で所定間隔を形成することができるのであれば、搬送コンベア７１の長さは、生産可能な小型の段ボールシートの搬送方向ＦＤの最大長さ以下であってもよい。
【００９１】
（４）本実施形態では、下位管理装置１１０が、フォルダグルア制御装置１５５などの制御装置に指令する搬送速度と、プログラムメモリ１２０に記憶される増速割合とに基いて、搬送コンベア７１の搬送速度を算出して、その算出された搬送速度をシート分離制御装置１５６に指令する構成であるが、この構成に限定されない。たとえば、小型オーダに関する小型の段ボールシートの間に所定間隔が空けられるように、搬送ベルト６１の搬送速度と搬送コンベア７１の搬送速度とを予め定め、これらの搬送速度を小型オーダに対応付けて記憶部に記憶する。小型オーダが実行されるときに、下位管理装置が、小型オーダに対応する搬送速度を記憶部から読み出してフォルダグルア制御装置およびシート分離制御装置に指令する構成でもよい。
【００９２】
（５）本実施形態では、カウンタエジェクタ制御装置１５７は、搬送ベルト６１の搬送速度に関する速度検出情報と増速割合とに基いて算出された搬送コンベア７１の搬送速度を、速度補正値により補正し、その補正された搬送速度に基いて、主レッジ８３の下降開始タイミングを決定する構成であるが、この構成に限定されない。たとえば、搬送ベルト６１の搬送速度と搬送コンベア７１の搬送速度と補正搬送速度とが、小型オーダに対応付けて記憶部に予め記憶される構成である場合、カウンタエジェクタ制御装置は、記憶部から読み出された補正搬送速度に基いて、主レッジ８３の下降開始タイミングを決定する構成でもよい。なお、補正搬送速度は、算出された搬送コンベア７１の搬送速度を補正速度値により補正した搬送速度である。
【００９３】
（６）本実施形態では、シート給紙装置２と、印刷装置３と、スロッタクリーザ４と、ダイアカッタ５とは、１つの主駆動モータＭＴにより駆動される構成であるが、この構成に限定されない。たとえば、シート供給装置、および、印刷装置などの各加工装置が、個別に連結される駆動モータにより駆動される構成でもよい。
【符号の説明】
【００９４】
１    段ボールシート製函機
５    ダイカッタ
６    フォルダグルア
７    シート分離装置
８    カウンタエジェクタ
７０Ａ、７０Ｂ    搬送ロール
７１    搬送コンベア
８３    主レッジ
１１０    下位管理装置
１５６    シート分離制御装置
１５７    カウンタエジェクタ制御装置
ＭＦ１    搬送駆動モータ
ＭＦ２    折り畳み駆動モータ
ＭＳ１    ロール駆動モータ
ＭＳ２    コンベア駆動モータ
ＭＣ１    レッジ昇降モータ
ＬＳＨ    通常の段ボールシート
ＳＳＨ１、ＳＳＨ２    小型の段ボールシート
ＦＤ    搬送方向
【図１】
2014113712.tif 000003
【図２】
2014113712.tif 000004
【図３】
2014113712.tif 000005
【図４】
2014113712.tif 000006
【図５】
2014113712.tif 000007
【図６】
2014113712.tif 000008